(57)【要約】【課題】視覚に頼ることなく容易に取り付け可能な機器取付装置を提供する。【解決手段】機器取付装置１は、二つの取付穴部１１，１１と二つの取付フック２１，２１とにより着脱自在に連結される本体部１０及びスタンド２０を備え、取付フック２１は、スタンド２０における本体部１０との対向面から突出する基端部２２と、この基端部２２の先端から略直角に折曲されて形成された先端部２３とを備え、先端部２３における取付穴部１１への挿入方向側の外面が挿入方向に対して傾斜している。また、先端部２３は、取付フック２１の挿入方向に対して対称に配置され、取付穴部１１は、取付フック２１を挿入する挿入部２２と、この挿入部２２に連続して当該挿入部２２側に拡開され取付フック２１のスライド移動方向に対して傾斜する係止面１３ａを備えた係止部２３とを有し、基端部２３は、係止面１３ａに対応した傾斜面２２ａを有している。【選択図】図６
2008223999.tif 000002
【特許請求の範囲】
【請求項１】
本体部及び該本体部を支持するスタンドを備える機器取付装置において、
前記本体部における前記スタンドとの対向面の平面部に設けられた二つの取付穴部と、前記スタンドにおける前記本体部との対向面に設けられ前記取付穴部に挿入された後スライド移動して係止される取付フックと、により前記本体部が前記スタンドに着脱自在に連結され、
前記取付フックは、
前記スタンドにおける前記本体部との対向面から突出する基端部と、この基端部の先端から略直角に折曲されて形成された先端部と、を備え、
前記先端部が前記取付穴部に挿入され、
前記先端部は、該先端部における前記取付穴部への挿入方向側の外面が前記挿入方向に対して傾斜する第１傾斜部を備え、
二つの前記取付フックは、各々の第１傾斜部が前記取付フックの挿入方向に対して対称となるように配置され、
前記取付穴部は、前記取付フックを挿入する挿入部と、この挿入部に連続して当該挿入部側に拡開され前記取付フックのスライド移動方向に対して傾斜する係止面を備えた係止部とを有し、
前記基端部は、前記係止面に対応した傾斜面を有する第２傾斜部を有することを特徴とする機器取付装置。
【請求項２】
本体部及び該本体部を支持するスタンドを備える機器取付装置において、
前記本体部又は前記スタンドの何れか一方の平面部に設けられた取付穴部と、他方に設けられ前記取付穴部に挿入された後スライド移動して係止される取付フックと、により前記本体部が前記スタンドに着脱自在に連結され、
前記取付フックは、前記スタンド又は前記本体部から突出する基端部と、この基端部の先端から所定角度、曲がった状態に形成された先端部と、を備え、
前記先端部が前記取付穴部に挿入され、
前記先端部は、該先端部における前記取付穴部への挿入方向側の外面が前記挿入方向に対して傾斜する傾斜部を備えてなることを特徴とする機器取付装置。
【請求項３】
請求項２に記載の機器取付装置において、
前記取付穴部は、前記本体部における前記スタンドとの対向面に配置され、
前記取付フックは、前記スタンドにおける前記本体部との対向面に配置されていることを特徴とする機器取付装置。
【請求項４】
請求項２又は請求項３に記載の機器取付装置において、
二つの前記取付フックと、二つの前記取付フックと係合可能に配置された二つの前記取付穴部と、を備え、
二つの前記取付フックは、各々の傾斜部が前記取付フックの挿入方向に対して対称となるように配置されていることを特徴とする機器取付装置。
【請求項５】
請求項２〜４の何れか一項に記載の機器取付装置において、
前記取付穴部は、前記取付フックを挿入する挿入部と、この挿入部に連続して当該挿入部側に拡開され前記取付フックのスライド移動方向に対して傾斜する係止面を備えた係止部とを有し、
前記基端部は、前記係止面に対応する傾斜面を有する第２傾斜部を有することを特徴とする機器取付装置。
【発明の詳細な説明】
【技術分野】
【０００１】
本発明は、機器取付装置に関する。
【背景技術】
【０００２】
従来、例えば、壁掛け時計や車載用テレビモニタ等の各種機器（以下、本体部という）を、例えば、室内の壁や車両のダッシュボード等に設置されたスタンド等（以下、ベース部という）に装着する際に、例えば、本体部の背面等に設けられた取付穴と、この取付穴に対向するベース部の壁面や座面等に突設された取付フックとにより、ベース部に対して本体部を着脱自在に装着する機器取付装置が知られている（例えば、特許文献１〜２参照）。
【０００３】
上記取付穴と取付フックとにより本体部をベース部に取り付ける際には、例えば、本体部をベース部に軽く当接させ、或いは、軽く押し付けながら当該本体部を上下方向又は左右方向に移動させ、取付フックを取付穴に合致させて挿入した後、当該挿入方向に対してほぼ直交する垂直方向等にスライド移動させることで、取付穴に取付フックを係止させるようになっている。
【０００４】
ところで、本体部に取付穴や取付フックを設ける場合、例えば、外観を損なうことがないように、本体部の下面や背面等に設けられることが多い。このため、取付穴と取付フックとを合致させる際に、目視によりおおよその取り付け位置に狙いをつけることはできるものの、挿入時には取付穴と取付フックとの位置関係を目視によって把握することが困難であり、取り付け作業が容易でない。このため、ユーザは、おおよその取付位置に本体部を配置した後、本体部の背面等をベース部に軽く当接させながら、この本体部を上下方向又は左右方向にずらす等して取付穴と取付フックとを合致させていた。
【特許文献１】米国特許第５７４０９９５号明細書
【特許文献２】特開平１１−３５１２１４号公報
【発明の開示】
【発明が解決しようとする課題】
【０００５】
しかしながら、上記特許文献１及び特許文献２に開示される機器取付装置は、何れも、取付穴に挿入される取付フックの先端が、ほぼ直角に曲成されて略Ｌ字状をなしており、挿入方向側の先端面が取付穴周辺の壁面（平面）に対して平行に形成されていた。このため、取付穴と取付フックとを合致させるために上下方向又は左右方向に本体部を移動させたとしても、取付フックが取付穴に嵌合されず素通りしてしまうため、取付穴と取付フックとを合致させることが困難であるという問題があった。また、その結果、本体部の取り付けに時間がかかるという問題があった。
【０００６】
本発明の課題は、視覚に頼ることなく容易に取り付け可能な機器取付装置を提供することにある。
【課題を解決するための手段】
【０００７】
上記課題を解決するために、請求項１に記載の発明は、
本体部及び該本体部を支持するスタンドを備える機器取付装置において、
前記本体部における前記スタンドとの対向面の平面部に設けられた二つの取付穴部と、前記スタンドにおける前記本体部との対向面に設けられ前記取付穴部に挿入された後スライド移動して係止される取付フックと、により前記本体部が前記スタンドに着脱自在に連結され、
前記取付フックは、前記スタンドにおける前記本体部との対向面から突出する基端部と、この基端部の先端から略直角に折曲されて形成された先端部と、を備え、
前記先端部が前記取付穴部に挿入され、
前記先端部は、該先端部における前記取付穴部への挿入方向側の外面が前記挿入方向に対して傾斜する第１傾斜部を備え、
二つの前記取付フックは、各々の第１傾斜部が前記取付フックの挿入方向に対して対称となるように配置され、
前記取付穴部は、前記取付フックを挿入する挿入部と、この挿入部に連続して当該挿入部側に拡開され前記取付フックのスライド移動方向に対して傾斜する係止面を備えた係止部とを有し、
前記基端部は、前記係止面に対応した傾斜面を有する第２傾斜部を有することを特徴とする。
【０００８】
請求項２に記載の発明は、
本体部及び該本体部を支持するスタンドを備える機器取付装置において、
前記本体部又は前記スタンドの何れか一方の平面部に設けられた取付穴部と、他方に設けられ前記取付穴部に挿入された後スライド移動して係止される取付フックと、により前記本体部が前記スタンドに着脱自在に連結され、
前記取付フックは、前記スタンド又は前記本体部から突出する基端部と、この基端部の先端から所定角度、曲がった状態に形成された先端部と、を備え、
前記先端部が前記取付穴部に挿入され、
前記先端部は、該先端部における前記取付穴部への挿入方向側の外面が前記挿入方向に対して傾斜する傾斜部を備えてなることを特徴とする。
【０００９】
請求項３に記載の発明は、請求項２に記載の機器取付装置において、
前記取付穴は、前記本体部における前記スタンドとの対向面に配置され、
前記取付フックは、前記スタンドにおける前記本体部との対向面に配置されていることを特徴とする。
【００１０】
請求項４に記載の発明は、請求項２又は請求項３に記載の機器取付装置において、
二つの前記取付フックと、二つの前記取付フックと係合可能に配置された二つの前記取付穴部と、を備え、
二つの前記取付フックは、各々の傾斜部が前記取付フックの挿入方向に対して対称となるように配置されていることを特徴とする。
【００１１】
請求項５に記載の発明は、請求項２〜４の何れか一項に記載の機器取付装置において、
前記取付穴部は、前記取付フックを挿入する挿入部と、この挿入部に連続して当該挿入部側に拡開され前記取付フックのスライド移動方向に対して傾斜する係止面を備えた係止部とを有し、
前記基端部は、前記係止面に対応する傾斜面を有する第２傾斜部を有することを特徴とする。
【発明の効果】
【００１２】
請求項１に記載の発明によれば、取付フックの先端部のうち、取付穴部への挿入方向側の外面に当該取付穴部への挿入方向に対して傾斜する第１傾斜部を設けたことにより、取付フックの先端部外面と取付穴部周辺の平面部とが平行に接することを防止することができる。これにより、該取付フックと取付穴部との位置合わせに際して、取付フックの先端が取付穴部を素通りせず取付穴部周辺に当たりやすくなって、例えば、取付フックの先端が取付穴部周辺の平面部と平行に形成され、取付フックが取付穴部に係合されずに素通りしていた従来の機器取付装置と比較して、取付穴部と取付フックとを容易に係合させることができる。その結果、本体部とスタンドとを視覚に頼ることなく容易に連結することができるため、従来の機器取付装置と比較して本体部の取り付けに要する手間と時間とを大幅に削減することができる。
【００１３】
また、本体部におけるスタンドとの対向面に取付穴部を配置すると共に、スタンドにおける本体部との対向面に取付フックを配置したことにより、本体部に凸部を設けることなく上記と同様の効果を得ることができる。これにより、例えば、本体部をスタンドから取り外して運搬等する際に、当該取付フックの破損や、この取付フックとの接触によるユーザ或いは各種物体の損傷を防止することができる。また、スタンドから取り外した状態で、当該スタンドとの対向面を下にして設置する際の本体部の安定性を向上することができる。また、発送等の梱包時に際して本体部の小スペース化を図ることができる。
【００１４】
また、機器取付装置は、取付フックの挿入方向に対して対称に配置された二つの第１傾斜部を備えることにより、スタンドに本体部を取り付ける際、取付フックと取付穴部とがずれた状態で配置された場合であっても、本体部をスタンドの取付フックに当接させながら前記対称方向のうち何れか一方に一度移動させるだけで、各第１傾斜部と取付穴部とを容易に係合させることができる。従って、取付フックと取付穴部とをより一層容易に係合させることができるため、本体部とスタンドとの連結に要する手間や時間をさらに削減することができる。
【００１５】
また、取付穴部の係止部を、挿入部に連続して当該挿入部側に拡開され、取付フックのスライド移動方向に対して傾斜する係止面を備えて構成すると共に、取付フックの基端部に前記係止面に対応する傾斜面を有する第２傾斜部を設けたことにより、取付フックを、挿入部と係止部との境界に引っ掛けることなく容易にスライド移動させることができる。つまり、係止部の係止面が挿入部側に拡開され、この係止面と取付フックの基端部に設けられた第２傾斜部とが取付フックのスライド移動方向に対して傾斜するように対応することにより、挿入部から係止部への入口の幅を取付フックの基端部におけるスライド移動方向先端側の幅よりも広く確保することができる。従って、スライド移動開始時には、基端部を係止部内に滑らかに導くことができる。
【００１６】
また、第２傾斜部の傾斜面と係止部の係止面とが、取付フックのスライド移動方向に対して互いに対応するように傾斜していることにより、取付フックをスライド移動方向に移動させた際に取付フックの基端部を係止部の係止面に隙間なく合致させることができる。つまり、取付フックをスライド移動させて係止部に容易に導くことを可能としつつ、該取付フックを係止部にスライド移動させた後においては、係止部と取付フックとをガタなく連結することができる。従って、本体部とスタンドとの密着性や保持性を確保することができる。
【００１７】
請求項２に記載の発明によれば、取付フックの先端部のうち、取付穴部への挿入方向側の外面に当該取付穴部への挿入方向に対して傾斜する傾斜部を設けたことにより、取付フックの先端部外面と取付穴部周辺の平面部とが平行に接することを防止することができる。
これにより、該取付フックと取付穴部との位置合わせに際して、取付フックの先端が取付穴部を素通りせず取付穴部周辺に当たりやすくなって、例えば、取付フックの先端が取付穴部周辺の平面部と平行に形成され、取付フックが取付穴部に係合されずに素通りしていた従来の機器取付装置と比較して、取付穴部と取付フックとを容易に係合させることができる。その結果、本体部とスタンドとを視覚に頼ることなく容易に連結することができるため、従来の機器取付装置と比較して本体部の取り付けに要する手間と時間とを大幅に削減することができる。
【００１８】
請求項３に記載の発明によれば、請求項２に記載の発明と同様の効果が得られることは無論のこと、特に、本体部におけるスタンドとの対向面に取付穴部を配置すると共に、スタンドにおける本体部との対向面に取付フックを配置したことにより、本体部に凸部を設けることなく上記と同様の効果を得ることができる。これにより、例えば、本体部をスタンドから取り外して運搬等する際に、当該取付フックの破損や、この取付フックとの接触によるユーザ或いは各種物体の損傷を防止することができる。また、スタンドから取り外した状態で、当該スタンドとの対向面を下にして設置する際の本体部の安定性を向上することができる。また、発送等の梱包時に際して本体部の小スペース化を図ることができる。
【００１９】
請求項４に記載の発明によれば、請求項２又は３に記載の発明と同様の効果が得られることは無論のこと、特に、機器取付装置は、取付フックの挿入方向に対して対称に配置された二つの傾斜部を備えることにより、スタンドに本体部を取り付ける際、取付フックと取付穴部とがずれた状態で配置された場合であっても、本体部をスタンドの取付フックに当接させながら前記対称方向のうち何れか一方に一度移動させるだけで、傾斜部と取付穴部とを容易に係合させることができる。従って、取付フックと取付穴部とをより一層容易に係合させることができるため、本体部とスタンドとの連結に要する手間や時間をさらに削減することができる。
【００２０】
請求項５に記載の発明によれば、請求項２〜４の何れか一項に記載の発明と同様の効果が得られることは無論のこと、特に、取付穴部の係止部を、挿入部に連続して当該挿入部側に拡開され、取付フックのスライド移動方向に対して傾斜する係止面を備えて構成すると共に、取付フックの基端部に前記係止面に対応する傾斜面を有する第２傾斜部を設けたことにより、取付フックを、挿入部と係止部との境界に引っ掛けることなく容易にスライド移動させることができる。つまり、係止部の係止面が挿入部側に拡開され、この係止面と取付フックの基端部に設けられた第２傾斜部とが取付フックのスライド移動方向に対して傾斜するように対応することにより、挿入部から係止部への入口の幅を取付フックの基端部におけるスライド移動方向先端側の幅よりも広く確保することができる。従って、スライド移動開始時には、基端部を係止部内に滑らかに導くことができる。
【００２１】
また、第２傾斜部の傾斜面と係止部の係止面とが、取付フックのスライド移動方向に対して互いに対応するように傾斜していることにより、取付フックをスライド移動方向に移動させた際に取付フックの基端部を係止部の係止面に隙間なく合致させることができる。つまり、取付フックをスライド移動させて係止部に容易に導くことを可能としつつ、該取付フックを係止部にスライド移動させた後においては、係止部と取付フックとをガタなく連結することができる。従って、本体部とスタンドとの密着性や保持性を確保することができる。
【発明を実施するための最良の形態】
【００２２】
以下、図を参照して、本発明にかかる機器取付装置を実施するための最良の形態を詳細に説明する。なお、発明の範囲は、以下の実施形態及び図示例に限定されない。
【００２３】
＜機器取付装置の構成＞
まず、機器取付装置１の構成について、図１〜図７を参照して詳しく説明する。
図１は、本実施形態たる機器取付装置１を組み立てた状態における横断面図であり、図２は、機器取付装置１の要部拡大図である。図３は、本体部の背面図である。図４は、スタンドの正面図である。図５は、スタンドの平面図である。
図１〜５に示すように、機器取付装置１は、二つの取付穴部１１，１１を有する本体部１０と、各取付穴部１１，１１に各々挿入された後、本体部が上下方向にスライド移動することにより各取付穴部１１，１１に係止される二つの取付フック２１，２１を有し本体部を着脱自在に支持するスタンド２０と、を備えている。なお、以下の説明において、取付穴部１１と取付フック２１との位置合わせのための本体部１０の移動方向を左右方向とし、本体部１０をスタンド２０に取り付ける際の挿入方向を前後方向とし、挿入後に本体部１０をスライド移動させる方向を上下方向とする。以下、各部を詳細に説明する。
【００２４】
本体部１０は、例えば、車載用のテレビモニタや経路誘導機などの各種の機器が取り付けられる（図１参照）。そして、この本体部１０におけるスタンド２０との対向面である背面部（平面部）１０ａに二つの取付穴部１１，１１が並んで設けられている。
各取付穴部１１は、例えば、図３に示すように、取付フック２１を挿入する略長方形状の挿入部１２と、この挿入部１２の上部に連続して当該挿入部１２側に拡開され、取付フック２１のスライド移動方向（例えば、本実施形態では上下方向）に対して傾斜する係止面１３ａを備えた略台形状の係止部１３と、を備えている。
【００２５】
挿入部１２は、例えば、四辺が本体部１０の上下方向に長尺な長方形状の開口部となっている。
係止部１３は、その一辺が、挿入部１２における上下方向に沿う一辺と連続する一辺を形成しており、当該一辺に沿って後述する取付フック２１がスライド移動を行うことを可能としている。本実施形態では、例えば、図３に示すように、各取付穴部１１，１１のうち、互いに近接する一辺、すなわち、本体部１０の左右方向における中央部寄りの一辺において、それぞれ挿入部１２と係止部１３とが連続する一辺を形成している。また、係止部１３は、上下方向に対して傾斜する係止面１３ａによって上辺よりも下辺が幅広くなるように拡開されており、上下方向に対する取付フック２１のスライド移動を容易とする形状になっている。
【００２６】
スタンド２０は、車両のインストルメントパネル等に、例えば、ねじ又は強力粘着両面テープ等によって取り付けられる図示しない基台に支持されている。
かかるスタンド２０には、例えば、図４及び図５に示すように、当該スタンド２０における本体部１０との対向面に二つの取付フック２１，２１が配置されている。また、スタンド２０の下部は、取付フック２１，２１と同方向に突出するように曲成されており、この曲成部２４の内面である上面の一部には、本体部１０を係止するための突起部２５が設けられている（図１及び図２参照）。
【００２７】
各取付フック２１は、例えば、図５に示すように、スタンド２０における本体部１０との対向面から突出する基端部２２と、この基端部２２の先端から略直角に折曲されて略Ｌ字状に形成された先端部２３と、を備えている。
【００２８】
基端部２２は、上記取付穴部１１における係止部１３の一辺をなす係止面１３ａに対応した傾斜面２２ａを備えている（図４及び図７参照）。そして、この傾斜面２２ａを有する基端部２２が、本発明の第２傾斜部として機能する。具体的に、基端部２２は、取付穴部１１の挿入部１２に挿入された後、本体部１０のスライド移動により係止部１３に案内された際に、当該基端部２２の傾斜面２２ａが係止部１３の係止面１３ａと隙間なく合致するようになっている。また、本実施形態では、各基端部２２，２２同士が正面視にて略ハ字状をなすようにして配置されている（図４及び図７参照）。
【００２９】
先端部２３は、上記取付穴部１１の挿入部１２に挿入された後、本体部１０のスライド移動によって係止部１３に案内された際に、本体部１０の背面部１０ａを内面側から保持して本体部１０とスタンド２０とを連結するものである。かかる先端部２３における取付穴部１１への挿入方向側の外面は、前記挿入方向（例えば、図１、図２の左方向）に対して傾斜する傾斜面２３ａとなっており、本発明の第１傾斜部（傾斜部）として機能する。
具体的に、本実施形態では、各取付フック２１，２１の端面すなわち、基端部２２から略Ｌ字状に折曲された先端部２３，２３の端面が、互いに背を向けるようにして逆向きに設けられており、各取付フック２１，２１における各々の傾斜面２３ａ，２３ａが、取付フック２１，２１の挿入方向に対して対称に配置されている（図５参照）。かかる傾斜面２３ａ，２３ａは、左右方向における外側の一端が他端よりもスタンド２０の前面から離隔するように傾斜している。
【００３０】
＜作用＞
次に、本実施形態たる機器取付装置１の組み付け動作について説明する。
機器取付装置１を、例えば、車両等に組み付ける際には、まず、本体部１０を、その背面部１０ａ側がスタンド２０の前面から突設された取付フック２１と対向するように当接させる。このとき、例えば、図６（ａ）に示すように、スタンド２０の前面に向かって本体部１０が右側にずれた状態で配置されたとすると、各取付フック２１，２１における先端部２３，２３の傾斜面２３ａ、２３ａが、何れも本体部１０の背面部１０ａに当接された状態となる。
【００３１】
次に、図６（ｂ）に示すように、本体部１０を取付フック２１に軽く押し付けて当接させたまま左方向に移動させる。その際、傾斜面２３ａが取付穴部１１の挿入部１２にさしかかると、その先端が挿入部１１内に僅かに挿入されることとなる。そして、左右方向における取付フック２１と取付穴部１１との配置が合致する位置まで移動すると、図６（ｃ）において右側に示す取付フック２１の先端部２３が、取付穴部１１における挿入部１２の一端（図６（ｃ）において、右側の側端部）と当接することにより、本体部１０の移動が妨げられることとなる。これにより、ユーザは、スタンド２０に対する本体部１０の左右方向における取付位置が正しい位置に配置されたことを認識することができる。
【００３２】
次に、ユーザは、本体部１０をスタンド２０側に押し込んで、取付フック２１の先端部２３を取付穴部１１の挿入部１２内に挿入する（図６（ｄ）参照）。この状態で、取付フック２１は、挿入部１２と係止部１３との連続する一辺に基端部２２が当接した状態で、挿入部２１内に配置される（図７（ａ）参照）。
次に、ユーザが、本体部１０をスタンド２０側に軽く押し付けたまま下降させると、取付穴部１１の内部では、挿入部１２から係止部１３に向けて基端部２２が相対的に上昇するようにスライド移動することとなる。そして、図７（ｂ）に示すように、基端部２２が係止部１３に移動した際には、当該基端部２２の傾斜面２２ａと係止部１３の係止面１３ａとが隙間なく合致することにより、本体部１０がスタンド２０に取り付けられた状態となる（図１参照）。また、この状態で、本体部１０の下面はスタンド２０下部の曲成部２４に載置され、突起部２５により係止される。
なお、本体部１０が、例えば、スタンド２０に対して左側にずれた状態で配置された場合は、本体部１０を右方向に移動させることにより、上記と同様にして取付フック２１が取付穴部１１内に挿入されることとなる。
【００３３】
＜実施形態の効果＞
以上説明した本発明の機器取付装置１によれば、取付フック２１の先端部２３のうち、取付穴部１１への挿入方向側の外面に当該取付穴部１１への挿入方向に対して傾斜する傾斜面２３ａを設けたことにより、取付フック２１の先端部２３外面と取付穴部１１周辺の平面部（背面部１０ａ）とが平行に接することを防止することができる。これにより、該取付フック２１と取付穴部１１との位置合わせに際して、取付フック２１の先端が取付穴部１１を素通りせず取付穴部１１周辺に当たりやすくなって、例えば、取付フック２１の先端が取付穴部１１周辺の平面部と平行に形成され、取付フック２１が取付穴部１１に係合されずに素通りしていた従来の機器取付装置と比較して、取付穴部１１と取付フック２１とを容易に係合させることができる。その結果、本体部１０とスタンド２０とを視覚に頼ることなく容易に連結することができるため、従来の機器取付装置と比較して本体部１０の取り付けに要する手間と時間とを大幅に削減することができる。
【００３４】
また、本体部１０におけるスタンド２０との対向面すなわち背面部１０ａに取付穴部１１を配置すると共に、スタンド２０における本体部１０との対向面に取付フック２１を配置したことにより、本体部１０に凸部を設けることなく上記と同様の効果を得ることができる。これにより、例えば、本体部１０をスタンド２０から取り外して運搬等する際に、当該取付フック２１の破損や、この取付フック２１との接触によるユーザ或いは各種物体の損傷を防止することができる。また、スタンド２０から取り外した状態で、背面部１０ａを下にして設置する際の本体部１０の安定性を向上することができる。また、発送等の梱包時に際して本体部１０の小スペース化を図ることができる。
【００３５】
また、機器取付装置１は、取付フック２１の挿入方向に対して対称に配置された二つの傾斜面２３ａを備えることにより、２０に本体部１０を取り付ける際、取付フック２１と取付穴部１１とがずれた状態で配置された場合であっても、本体部１０をスタンド２０の取付フック２１に当接させながら前記対称方向のうち何れか一方に一度移動させるだけで、各傾斜面２３ａと取付穴部１１とを容易に係合させることができる。従って、取付フック２１と取付穴部１１とをより一層容易に係合させることができるため、本体部１０とスタンド２０との連結に要する手間や時間をさらに削減することができる。
【００３６】
また、取付穴部１１の係止部１３を、挿入部１２に連続して当該挿入部１２側に拡開され、取付フック２１のスライド移動方向に対して傾斜する係止面１３ａを備えて構成すると共に、取付フック２１の基端部２２に前記係止面１３ａに対応する傾斜面２２ａを有する構成としたことにより、取付フック２１を、挿入部１２と係止部１３との境界に引っ掛けることなく容易にスライド移動させることができる。つまり、係止部１３の係止面１３ａが挿入部１２側に拡開され、この係止面１３ａと取付フック２１の基端部２２に設けられた傾斜面２２ａとが取付フック２１のスライド移動方向に対して傾斜するように対応することにより、挿入部１２から係止部１３への入口の幅を取付フック２１の基端部２２におけるスライド移動方向先端側である基端部２２上面の幅よりも広く確保することができる。従って、スライド移動開始時には、基端部２２を係止部１３内に滑らかに導くことができる。
【００３７】
また、基端部２２の傾斜面２２ａと係止部１３の係止面１３ａとが、取付フック２１のスライド移動方向に対して互いに対応するように傾斜していることにより、取付フック２１をスライド移動方向に移動させた際に取付フック２１の基端部２２を係止部１３の係止面１３ａに隙間なく合致させることができる。つまり、取付フック２１をスライド移動させて係止部１３に容易に導くことを可能としつつ、該取付フック２１を係止部１３にスライド移動させた後においては、係止部１３と取付フック２１とをガタなく連結することができる。従って、本体部１０とスタンド２０との密着性や保持性を確保することができる。
【００３８】
（その他）
なお、挿入部１２は、本実施形態では本体部１０の上下及び左右方向に概略沿う略長方形状の開口部としたが、かかる形状に限定されるものではなく、取付フック２１の先端部を挿入可能とする形状であれば、種々の形状とすることができる。
【００３９】
また、本実施形態では、本体部１０に取付穴部１１を設けると共にスタンド２０に取付フック２１を設けているが、例えば、取付フック２１を本体部１０の背面部１０ａに設けると共に取付穴部１１をスタンド２０の前面に設ける構成としてもよい。
【００４０】
また、取付フック２１は、例えば、本体部１０の側面に取付穴部１１を設けた場合には、当該取付穴部１１と係合するように設けてもよい。
【００４１】
また、本実施形態では、取付フック２１を挿入部１２に挿入した後、上下方向に沿って本体部１０を下方にスライド移動させる構成としているが、例えば、取付フック２１を挿入部１２に挿入した後、左右何れかの方向にスライドさせる構成としてもよい。
【００４２】
また、取付フック２１の先端部２３は、例えば、基端部２２から略直角に折曲された略Ｔ字状であってもよい。この場合、取付穴部１１の係止部１３は、基端部２２の傾斜面に対応するように、例えば、台形状とすることが望ましい。
【図面の簡単な説明】
【００４３】
【図１】本発明に係る機器取付装置の構成を示す横断面図である。
【図２】本発明に係る機器取付装置の構成を示す要部拡大図である。
【図３】本発明における本体部の背面図である。
【図４】本発明におけるスタンドの正面図である。
【図５】本発明におけるスタンドの平面図である。
【図６】本発明における本体部のスタンドへの挿入動作時における取付フックと取付穴部との関係を説明するための説明図である。
【図７】本発明における本体部の下方向へのスライド動作時における取付フックと取付穴部との関係を説明するための説明図である。
【符号の説明】
【００４４】
１  機器取付装置
１０  テレビモニタ等（本体部）
１０ａ  背面部（平面部，対向面）
１１  取付穴部
１２  挿入部
１３  係止部
１３ａ  係止面
２０  スタンド
２１  取付フック
２２  基端部
２２ａ  傾斜面（第２傾斜部）
２３  先端部
２３ａ  傾斜面（第１傾斜部，傾斜部）
２４  曲成部
２５  突起部
【図１】
2008223999.tif 000003
【図２】
2008223999.tif 000004
【図３】
2008223999.tif 000005
【図４】
2008223999.tif 000006
【図５】
2008223999.tif 000007
【図６】
2008223999.tif 000008
【図７】
2008223999.tif 000009